(57)【要約】【課題】アース線とハウジングとの衝突を回避可能なコネクタを提供する。【解決手段】ハウジング内に埋め込まれる部分と、ハウジング外に露出される部分とを有する端子６を保持するハウジング８を備えてなるコネクタ１であって、端子は、ハウジング外に露出される部分に、アース線７０の先端に設けられたアース端子７１を組み付けるアース端子組付部６１を有してなり、アース端子組付部には、アース線がハウジングの側面８３から徐々に離れて伸延するように、アース端子の組付角度αを設定する。【選択図】  図３
2016076378.tif 000002
【特許請求の範囲】
【請求項１】
ハウジング内に埋め込まれる部分と、ハウジング外に露出される部分とを有する端子を保持するハウジングを備えてなるコネクタであって、
前記端子は、前記ハウジング外に露出される部分に、アース線の先端に設けられたアース端子を組み付けるアース端子組付部を有してなり、
前記アース端子組付部には、前記アース線が前記ハウジングの側面から徐々に離れて伸延するように、前記アース端子の組付角度が設定されていることを特徴とするコネクタ。
【請求項２】
前記アース端子組付部は、前記アース端子の組付方向を前記アース線の伸延方向と略直交させて形成されていることを特徴とする請求項１に記載のコネクタ。
【発明の詳細な説明】
【技術分野】
【０００１】
本発明は、ハウジングの外部に露出される端子部分にアース線の端子が組み付けられるコネクタのアース構造に関する。
【背景技術】
【０００２】
複数の雌端子をそれぞれ挿入可能な複数の端子収容室が形成された雌端子ハウジングと、複数の雌端子に接続される複数の雄端子を保持する雄端子ハウジングを分離して形成し、これらのハウジングを嵌合させて組み付けることにより、互いの端子を電気的に接続するように構成されたコネクタが知られている（例えば、特許文献１参照）。
【０００３】
特許文献１に記載のコネクタでは、雌端子を弾性変形可能な接点部材を内包して筒状に形成し、その筒の一側面に形成された係止穴を端子収容室の内壁に弾性部材で形成されたランスに係合させて、雌端子を抜け止めしている。そして、このように雌端子を端子収容室に挿入し、ランスに係合させる第１の位置と、ランスに係合させた雌端子の接点部材に雄端子を摺接させて電気的に接続する第２の位置で、雌端子ハウジングと雄端子ハウジングを段階的に嵌合させることで、雌端子と雄端子の接続時の最大挿入力の低減が図られている。
【０００４】
また、特許文献１に記載のコネクタでは、雄端子ハウジングに設けられ、外部に露出される導体部分（バスバ）に雄端子がハウジング内で接続され、さらにこのバスバにアース線を接続することで接地がなされている。アース線の先端には、アース端子が設けられており、アース端子がバスバに形成されたアース端子組付部に組み付けられるようになっている。
【先行技術文献】
【特許文献】
【０００５】
【特許文献１】特開２０１３−２４７０５３号公報
【発明の開示】
【発明が解決しようとする課題】
【０００６】
ところで、特許文献１に記載のコネクタでは、アース端子組付部がアース線の伸延方向と直交する方向からアース端子を組み付けるようになっており、アース端子がアース端子組付部に組み付けられた状態では、アース線が雄端子ハウジングの側面と平行に伸延する。このため、アース線と雄端子ハウジングの側面との間隔が狭いと、アース線とアース端子との接続部分が揺動等により雄端子ハウジングの側面とぶつかってしまう場合がある。
【０００７】
この場合、両者がぶつからない程度にアース端子組付部をバスバから突出させるなど、アース端子組付部の位置をずらして両者の間隔を拡げることで両者の衝突を回避することができる。しかしながら、例えばアース端子組付部を所期のとおり突出させた場合、その分だけバスバが大きくなり、バスバの小型化、ひいてはコネクタの小型化を図る上で問題となるおそれがある。
【０００８】
本発明は、アース線とハウジングとの衝突を回避可能なコネクタを提供することを課題とする。
【課題を解決するための手段】
【０００９】
上記課題を解決するため、本発明は、ハウジング内に埋め込まれる部分と、ハウジング外に露出される部分とを有する端子を保持するハウジングを備えてなるコネクタであって、前記端子は、前記ハウジング外に露出される部分に、アース線の先端に設けられたアース端子を組み付けるアース端子組付部を有してなり、前記アース端子組付部には、前記アース線が前記ハウジングの側面から徐々に離れて伸延するように、前記アース端子の組付角度が設定されていることを特徴とする。
【００１０】
これによれば、アース線をハウジングの側面から徐々に離間させ、十分な間隔をあけた状態で伸延させることが可能となるから、アース線が揺動した場合などであっても、アース線とハウジングの側面がぶつかってしまうような事態を抑制することができる。したがって、両者の衝突を回避するべく、アース端子組付部を端子から大きく突出させてその位置をずらすような必要がなく、アース端子の組付角度に応じて、端子やアース端子の小型化、ひいてはコネクタの小型化を図ることが可能となる。
【００１１】
この場合、前記アース端子組付部は、前記アース端子の組付方向を前記アース線の伸延方向と略直交させて形成することができる。これにより、アース端子組付部へのアース端子の組付方向を組付角度で傾けることで、アース端子がアース端子組付部に組み付けられたアース線を、アース端子の組付角度に相当する傾斜角度でハウジングの側面に対して傾けて伸延させ、側面との間隔を徐々に離間させることができる。
【発明の効果】
【００１２】
本発明によれば、アース線とハウジングとの衝突を回避可能なコネクタを実現できる。
【図面の簡単な説明】
【００１３】
【図１】本発明の一実施形態のコネクタの全体構成を、雄端子ハウジングと雌端子ハウジングを分離させて示す斜視図である。
【図２】本発明の一実施形態のコネクタを上方から示す図である。
【図３】本発明の一実施形態のコネクタのアース端子組付部にアース線のアース端子を組み付けた状態を示す図である。
【図４】端子の回転止め部が傾斜して形成されたコネクタを示す図である。
【発明を実施するための形態】
【００１４】
以下、本発明のコネクタについて、添付図面を参照して説明する。図１及び図２は、本発明の一実施形態のコネクタ１の構成を示す斜視図である。以下の説明においては、図１及び図２示す矢印Ｘ方向を左右方向、矢印Ｙ方向を前後方向、矢印Ｚ方向を上下方向という。このうち前後方向については、図１及び図２における矢印Ｙ１方向を前側（前方）、矢印Ｙ２方向を後側（後方）とする。ただし、これらの左右方向、前後方向、上下方向は、実施時における実際の各方向と必ずしも一致していなくともよい。
【００１５】
図１及び図２に示すように、コネクタ１は、雌端子３をそれぞれ挿入可能な複数の端子収容室４が形成された雌端子ハウジング５と、雌端子３に接続される複数の雄端子（図示省略）を保持する雄端子ハウジング８とを備えて構成されており、雌端子ハウジング５と雄端子ハウジング８を前後方向に嵌合させて、雌端子３と雄端子を接続する。雌端子ハウジング５と雄端子ハウジング８は、いずれも樹脂により成形されている。
【００１６】
雌端子３は、弾性変形可能な接点部材を内包して筒状に形成された接点部３ａと、電線２が圧着された圧着端子部３ｂとを備えて形成されている。電線２の端部外周には、防水栓２ａが装着されている。雌端子ハウジング５の端子収容室４は、雌端子３の接点部３ａが収容される矩形筒状の収容室（以下、矩形筒部という。）と、圧着端子部３ｂ及び電線２の防水栓２ａが収容される円筒状の収容室（同、円筒部という。）とを備えて形成されている。矩形筒部は、円筒部よりも雄端子ハウジング８側に位置付けられており、例えば、内壁に形成されたランス（片持ち状のばね片）で挿入された雌端子３を係止し、抜け止めしている。
【００１７】
特に図示しないが、雄端子ハウジング８には、雌端子３に挿入接続される複数の雄端子がインサート成形されて保持されている。例えば、各雄端子は、板状の導体からなり、その先端が雌端子ハウジング５の端子収容室４の矩形状部に相対的に進入し、雌端子３の接点部材と摺動接続可能に形成される。また、雄端子ハウジング８には、雌端子ハウジング５の雌フード１２を被冠する本体部９が形成されている。本体部９と雌フード１２との間には、リング状の密封部材（例えば、防水パッキン等）１０が装着され、雄端子と雌端子３との接続部分への浸水防止が図られている。
【００１８】
これらの雄端子は、雄端子ハウジング８に保持されたバスバ６に接続され、バスバ６を介してアース線７０に接続されるようになっている。バスバ６は、導電性を有する金属板を屈曲加工して形成されており、雄端子との接続部位が雄端子ハウジング８に埋め込まれ、それ以外の部位は雄端子ハウジング８から露出されるように、雄端子ハウジング８にインサート成形されている。バスバ６は、雄端子と一体成形されていてもよいし、雄端子と電気的に接続された状態で雄端子ハウジング８に保持されていれば、別体成形されていても構わない。なお、以下では雄端子ハウジング８から露出された部位をバスバ６として説明する。
【００１９】
バスバ６は、雄端子ハウジング８の端部８２（雌端子ハウジング５との嵌合側の端部８１とは反対側）から平板状に延在し、アース線７０の先端に設けられたアース端子７１を組み付けるアース端子組付部６１を有して構成されている。
【００２０】
図３は、アース端子組付部６１にアース線７０が組み付けられた状態を示す図である。図３に示すように、アース端子組付部６１には、アース線７０が雄端子ハウジング８の側面８３から徐々に離間して伸延するように、アース端子７１の組付角度αが設定されている。これにより、アース線７０を雄端子ハウジング８の側面８３と十分な間隔をあけた状態で伸延させることができるため、例えばアース線７０が揺動した場合などであっても、アース線７０と雄端子ハウジング８の側面８３がぶつかってしまうような事態を抑制することができるようになっている。
【００２１】
本実施形態では、アース端子７１の組付方向をアース線７０の伸延方向と略直交させるように、アース端子取付部６１がバスバ６に形成されている。換言すれば、アース端子組付部６１への組付方向がアース線７０の伸延方向に対して略直角となるように、アース線７０の芯線にアース端子７１が接続されている。なお、アース端子組付部６１への組付方向とアース線７０の伸延方向とのなす角度は、略直角であればよいが、鈍角であっても構わない。
【００２２】
したがって、アース端子組付部６１へのアース端子７１の組付方向を、左右方向に対して後方へ組付角度αで傾けることで、アース端子７１がアース端子組付部６１に組み付けられたアース線７０を、前後方向に対して所定の傾斜角度（アース端子７１の組付角度αに相当）で傾けて伸延させることができる。これにより、アース線７０を伸延方向へ向かうに従って雄端子ハウジング８の側面８３（左右方向の側面）から離間させることができる。
【００２３】
アース端子組付部６１とアース端子７１は、相手を組み付けるための組付機構をそれぞれ有している。組付機構は、アース端子組付部６１とアース端子７１を電気的に接続可能でその接続状態を安定して維持させることが可能な機構であれば特に限定されない。本実施形態では、平板状に形成されたアース端子７１に、アース端子組付部６１への組付方向（アース線７０の伸延方向に略直交する方向）に突出して延在する一対の突出片７２が設けられ、アース端子組付部６１には、突出片７２と重なり合う一対の受け部６２が設けられている。一対の突出片７２の間の開放部には、係合片７３が組付方向の両端にそれぞれ架橋され、一対の受け部６２の間の開放部には、係合片７３とそれぞれ係合する被係合片６３が架橋されている。係合片７３は、突出片７２よりも下方へ窪んで架橋され、被係合片６３は受け部６２よりも上方へ膨らんで架橋されている。
【００２４】
これにより、突出片７２の突出端を下方へ傾けつつ、係合片７３を被係合片６３と係合させるようにアース端子７１をアース端子組付部６１に差し込むことで、これらを着脱自在に組み付けることができるようになっている。なお、係合片７３が被係合片６３と係合した状態で、例えば、アース端子７１とアース端子組付部６１をネジ止め等により強固に固定しても構わない。
【００２５】
このように本実施形態によれば、バスバ６のアース端子組付部６１にアース端子７１を介して組み付けたアース線７０を、雄端子ハウジング８と十分な間隔をあけた状態で伸延させることができるため、アース線７０が揺動した場合などであっても、アース線７０と雄端子ハウジング８（端的にはコネクタ１）がぶつかってしまうような事態を抑制することができる。したがって、両者の衝突を回避するべく、例えば、アース端子組付部６１をバスバ６から大きく突出させ、その位置をずらして両者の間隔を拡げる必要がない。これにより、アース端子７１の組付角度（アース線７０の傾斜角度）αに応じて、バスバ６やアース端子７１の小型化、ひいてはコネクタ１の小型化を図ることが可能となる。
【００２６】
以上、本発明について図１〜図３に示すような一実施形態に基づいて説明したが、上述した実施形態は本発明の一例に過ぎないものであり、本発明はこれに限定されるものではない。したがって、本発明の要旨の範囲で変形又は変更された形態で本発明を実施可能であることは、当業者にあっては明白なことであり、そのような変形又は変更された形態が本願の特許請求の範囲に属することは当然のことである。
【００２７】
本実施形態のバスバ６には、図１〜図３に示すように、コネクタ１自体の回転を防止する回転止め部６４が形成されている。本実施形態では、回転止め部６４を前後方向に沿って（後方へ）伸延するように形成しているが、例えば、図４に示す回転止め部６４ａのように、前後方向に対して所定の傾斜角度で傾けて伸延させてもよい。図４には、回転止め部６４ａを前後方向に対してアース端子７１の組付角度αに相当する角度で傾けて形成し、アース線７０の伸延方向に沿って伸延させた構成を一例として示している。なお、アース端子７１の組付角度、前後方向に対するアース線７０及び回転止め部６４ａの傾斜角度は、いずれも同一角度αとしているが、これらは相違していてもよい。
【００２８】
また、アース線７０が雄端子ハウジング８から徐々に離間して伸延していれば、アース線７０を前後方向に対して所定の傾斜角度（アース端子７１の組付角度α）で傾けることに加えて、上下方向のいずれかにさらに傾けるようにアース端子取付部６１を形成してもよい。また、本実施形態では、アース端子組付部６１へのアース端子７１の組付方向を、左右方向に対して後方へ組付角度αで傾けているが、アース線７０が雄端子ハウジング８から離間して伸延していれば、例えば、アース端子の組付方向を前後方向に対して左右方向の外側へ組付角度αで傾けることも可能である。この場合、アース線の伸延方向に沿ってアース端子をアース端子組付部に組み付ける組付機構とすればよい。ただし、この場合には、アース端子組付部への組付方向がアース線の伸延方向と平行となるように、アース線の芯線にアース端子を接続する。なお、本実施形態では、雄端子を保持する雄端子ハウジング８にバスバ６が備えられている場合について説明したが、雌端子を保持する雌端子ハウジングにバスバが備えられている場合には、該バスバに同様のアース端子組付部を形成すればよい。
【符号の説明】
【００２９】
１      コネクタ
６      端子（バスバ）
８      ハウジング（雄端子ハウジング）
６１    アース端子組付部
７０    アース線
７１    アース端子
８３    ハウジングの側面
α      組付角度
【図１】
2016076378.tif 000003
【図２】
2016076378.tif 000004
【図３】
2016076378.tif 000005
【図４】
2016076378.tif 000006